(57)【要約】【課題】本発明は、ロープ吊り下げブラケットを下枠に締結する締結ボルトに作用する最大引張力を低減できる釣合いロープの吊り下げ構造を有するエレベーター装置を提供することにある。【解決手段】本発明は、釣合いロープ１４，１４Ａ，１４Ｂの吊り下げるロープ吊り下げブラケット（１８，２０）を、下枠１１の上側に締結ボルトＢ１〜Ｂ４によって締結したのである。  このように、構成することで、釣合いロープ側の締結ボルトＢ１，Ｂ３の締結位置を支点として釣合いロープから離れた側の締結ボルトＢ２，Ｂ４に引張力が作用する。その結果、釣合いロープ１４，１４Ａ，１４Ｂの重量のほとんどを前記支点となる位置の下枠１１によって支えるので、釣合いロープから離れた側の締結ボルトに作用する引張力を低減することができるのである。【選択図】図４
2008290828.tif 000002
【特許請求の範囲】
【請求項１】
昇降路内を昇降する乗かごと釣合い錘とを主ロープで連結し、乗かごを構成するかご枠の下枠にロープ吊り下げブラケットをボルト締結によって固定し、このロープ吊り下げブラケットから釣合いロープを吊り下げるように構成したエレベーター装置において、前記ロープ吊り下げブラケットを前記下枠の上側に位置させてボルト締結したことを特徴とするエレベーター装置。
【請求項２】
複数のロープ吊り下げブラケットを前記下枠の上側に多段に位置させてボルト締結し、多段に位置させた各ロープ吊り下げブラケットから複数本の釣合いロープを夫々吊り下げるように構成したことを特徴とする請求項１記載のエレベーター装置。
【請求項３】
前記ロープ吊り下げブラケットは、第１の吊り下げブラケットと第２の吊り下げブラケットからなり、前記第１の吊り下げブラケットを前記下枠の上側に位置させてボルト締結し、前記第２の吊り下げブラケットを前記下枠の上側にブラケット台を介して位置させてボルト締結し、第１及び第２の吊り下げブラケット複数本の釣合いロープを夫々吊り下げるように構成したことを特徴とする請求項１記載のエレベーター装置。
【請求項４】
前記第１及び第２の吊り下げブラケットから吊り下げられた複数の釣合いロープは、前記下枠から同距離の位置から吊り下げられていることを特徴とする請求項３記載のエレベーター装置。
【発明の詳細な説明】
【技術分野】
【０００１】
本発明はエレベーター装置に係り、特に、乗かごの下部から釣合いロープを吊り下げるように構成したエレベーター装置に関する。
【背景技術】
【０００２】
通常、乗かごの下部から釣合いロープを吊り下げるように構成したエレベーター装置は、図１〜図３に示すように構成されている。
【０００３】
即ち、エレベーター装置は、大きくは、昇降路１内に敷設されたガイドレール２に案内されて昇降する乗かご３及び釣合い錘４と、これらをつるべ式に連結する主ロープ５と、この主ロープ５を昇降路１の頂部で巻き掛けて駆動する巻上機６とを備えている。
【０００４】
乗かご３は、かご枠７とかご室８とより構成され、さらに、かご枠７は、左右一対の縦枠９と、この縦枠９の上部を連結する上枠１０と、縦枠９の下部を連結し前記かご室８を支持する下枠１１とを備えている。そして、前記かご枠７の上下部には前記ガイドレール２と係合する案内ローラや案内シューなどの案内手段１２ａ，１２ｂが設けられている。
【０００５】
このほか、前記乗かご３の下部から昇降路１の高さ方向のほぼ中間部にかけて、乗かご３内との信号の授受や乗かご内の各種駆動装置等に電力を供給するフィーダ線１３が設けられている。
【０００６】
そして、乗かご３が図１に示す最上階１５ＨＦにある時の巻上機６を経由して両側に吊り下げられる主ロープ５の長さの差と、乗かご３が図２に示す最下階１５ＬＦにある時の巻上機６を経由して両側に吊り下げられる主ロープ５の長さの差とによる重量アンバランスが生じるために、釣合いロープ１４を乗かご３の底部から吊り下げ、釣合い錘４の底部に連結し、主ロープ５の重量アンバランスを相殺している。
【０００７】
この釣合いロープ１４の吊り下げ構造は、図３に示すように、断面コ字状をした一対の型鋼１１ａ，１１ｂからなる下枠１１の下部に、型鋼１１ａ，１１ｂの間隔よりも長く形成されたロープ吊り下げブラケット１６を締結ボルトｂ１，ｂ２を締結して固定し、ロープ吊り下げブラケット１６の下枠１１から張り出した先端部にロープ保持具１７を介して釣合いロープ１４を吊り下げている。
【０００８】
尚、関連する技術は、例えば特許文献１に示すように、既に周知である。
【０００９】
【特許文献１】特開２００１−１３９２３９号公報
【発明の開示】
【発明が解決しようとする課題】
【００１０】
上記釣合いロープ１４の吊り下げ構造によれば、締結ボルトｂ１，ｂ２に作用する最大引張力は、乗かご３が図１に示す最上階１５ＨＦにあるときにつりあいロープ１４の重量が最も大きくなって作用し、そのため締結ボルトｂ１，ｂ２の特に、釣合いロープ１４側の締結ボルトｂ１をこの最大引張力に耐える太さに設計しなければならない。
【００１１】
因みに、締結ボルトｂ１に作用する最大引張力をＲ１、釣合いロープ１４の最大重量をＷ、下枠１１の型鋼１１ａ，１１ｂに締結された締結ボルトｂ１，ｂ２の間隔をＬ１、締結ボルトｂ１から釣合いロープ１４の吊り下げ位置までの寸法をＬ２とした場合、締結ボルトｂ１に作用する最大引張力をＲ１は、
Ｒ１＝〔Ｗ×（Ｌ１＋Ｌ２）／Ｌ１        …（１）
となる。
【００１２】
近年、ビルの高層化により昇降路の長行程化が進み、その分、釣合いロープ１４の重量Ｗも増加し、最大引張力Ｒ１も大きくなる傾向にある。
【００１３】
そのために、最大引張力Ｒ１に耐えるように、締結ボルトｂ１もボルト径を含めて大型化しなければならない。しかしながら、締結ボルトｂ１を大型化すると、それに合わせてボルト締結部近傍の下枠１１の型鋼１１ａ，１１ｂやロープ吊り下げブラケット１６の寸法を大型化しなくてはならず、部品の標準化を妨げるばかりでなく、各部材の大型化により乗かご３の重量を増大させることになる。
【００１４】
本発明の目的は、ロープ吊り下げブラケットを下枠に締結する締結ボルトに作用する最大引張力を低減できる釣合いロープの吊り下げ構造を有するエレベーター装置を提供することにある。
【課題を解決するための手段】
【００１５】
本発明は上記目的を達成するために、釣合いロープを吊り下げるロープ吊り下げブラケットを、下枠の上側に締結ボルトによって締結したのである。
【００１６】
このように、ロープ吊り下げブラケットを下枠の上側に固定することで、釣合いロープ側の締結ボルトの締結位置を支点として釣合いロープから離れた側の締結ボルトに引張力が作用する。その結果、釣合いロープの重量のほとんどを前記支点となる位置の下枠によって支えるので、釣合いロープから離れた側の締結ボルトに作用する引張力を低減することができるのである。
【発明の効果】
【００１７】
以上説明したように本発明によれば、ロープ吊り下げブラケットを下枠に締結する締結ボルトに作用する最大引張力を低減できる釣合いロープの吊り下げ構造を有するエレベーター装置を得ることができる。
【発明を実施するための最良の形態】
【００１８】
以下本発明によるエレベーター装置の一実施の形態を図４に基づいて説明する。尚、エレベーター装置としての基本構成は、図１及び図２に示された構成と同じであるので、再度の詳細な説明は省略し、釣合いロープの吊り下げ構造についてのみ説明する。
【００１９】
下枠１１を構成し間隔をおいて対向配置された型鋼１１ａ，１１ｂの上部にロープ吊り下げブラケット１６を配置する。このとき、ロープ吊り下げブラケット１６の一端側は型鋼１１ａから張り出さないようにし、他端側は型鋼１１ｂから張り出して延在させる。
【００２０】
このように配置されたロープ吊り下げブラケット１６を、締結ボルトＢ１，Ｂ２によって夫々型鋼１１ａ，１１ｂ上に締結して固定する。固定されたロープ吊り下げブラケット１６の型鋼１１ｂから張り出した延在端部には、ロープ保持具１７を介して釣合いロープ１４を吊り下げている。
【００２１】
このように構成することで、釣合いロープ１４側の型鋼１１ｂの締結ボルトＢ１部分を支点として、てこの作用によって、釣合いロープ１４とは反対側の型鋼１１ａの締結ボルトＢ２に釣合いロープ１４の重量の反力が作用する。したがって、締結ボルトＢ２に最大引張力が作用する。
【００２２】
ここで、下枠１１の型鋼１１ａ，１１ｂの大きさ間隔、ロープ吊り下げブラケット１６の大きさ、釣合いロープ１４の吊り下げ位置や重量を、図３に示す釣合いロープの吊り下げ構造と同じにし、このときの締結ボルトＢ２に作用する最大引張力をＲ２とすると、最大引張力Ｒ２は、
Ｒ２＝（Ｗ×Ｌ２）／Ｌ１        …（２）
となる。
【００２３】
そして、上記（１）式と（２）式とを比較すると、本実施の形態による最大引張力Ｒ２は、釣合いロープ１４の最大重量Ｗの分だけ低減することができる。
【００２４】
したがって本実施の形態によれば、締結ボルトＢ１，Ｂ２の径を太くしたりする必要はなく、その結果、ボルト締結部近傍の下枠１１の型鋼１１ａ，１１ｂやロープ吊り下げブラケット１６の寸法を大型化する必要はなくなって標準の部品を使用することができ、かつ、各部材の大型化による乗かご３の重量増大をなくすことができる。
【００２５】
次に、釣合いロープを多数本吊り下げる場合（この場合には５本）の釣合いロープの吊り下げ構造について、図５〜図７に示す変形例に基づいて説明する。
【００２６】
この変形例において、下枠１１を構成するコ字状の型鋼１１ａ，１１ｂの上側に、第１の吊り下げブラケットとなるロープ吊り下げ下段ブラケット１８と第２の吊り下げブラケットとなるロープ吊り下げ上段ブラケット２０の夫々を締結ボルトＢ１，Ｂ２，Ｂ３，Ｂ４を用いて締結して多段に固定している。
【００２７】
ロープ吊り下げ下段ブラケット１８は、二つの型鋼１１ａ，１１ｂを交差する左右一対の下ブラケット１８Ａ，１８Ｂを、前記実施の形態の図４と同じように、締結ボルトＢ１，Ｂ２を用いて型鋼１１ａ，１１ｂに固定する。そして、下ブラケット１８Ａ，１８Ｂの端部間にロープ保持具１７を跨らせ、そこから２本の釣合いロープ１４Ａを吊り下げている。
【００２８】
一方、ロープ吊り下げ上段ブラケット２０も左右一対の上ブラケット２０Ａ，２０Ｂからなり、これら上ブラケット２０Ａ，２０Ｂは、二つの型鋼１１ａ，１１ｂの上に交差するように締結ボルトＢ３，Ｂ４で固定された左右一対のブラケット台１９（１９Ａ，１９Ｂ）上に平行となるように締結ボルトによって固定されている。そして、上ブラケット２０Ａ，２０Ｂの端部間にロープ保持具２１を跨らせ、そこから３本の釣合いロープ１４Ｂを吊り下げている。この３本の釣合いロープ１４Ｂは、下段に位置するロープ保持具１７に形成した貫通孔１７Ｈを貫通して吊り下げられ、前記下段の釣合いロープ１４Ａと同じように、下枠１１の型鋼１１ｂから同距離の位置から吊り下げられている。
【００２９】
このように、下枠１１を構成するコ字状の型鋼１１ａ，１１ｂの上側に、ロープ吊り下げ下段ブラケット１８とロープ吊り下げ上段ブラケット２０を多段に設置することで、締結ボルトＢ１、Ｂ３に作用する最大引張力を前記実施の形態と同理由によって低減できると共に、５本の釣合いロープ１４Ａ，１４Ｂの重量を分散することができるので、より締結ボルトＢ１、Ｂ３に作用する最大引張力を低減することができる。
【００３０】
尚、本変形例は、前記実施の形態に較べて釣合いロープの本数を多くしたものであるが、長行程の昇降路を昇降するエレベーター装置においては、ロープ本数が５本以下の場合のでも、本変形例のようにロープ吊り下げ下段ブラケット１８とロープ吊り下げ上段ブラケット２０を多段に設置するようにして、締結ボルトＢ１、Ｂ３に作用する最大引張力を低減するようにしてもよい。
【図面の簡単な説明】
【００３１】
【図１】通常のエレベーター装置の乗かごが最上階にある時の縦断概略図。
【図２】通常のエレベーター装置の乗かごが最下階にある時の縦断概略図。
【図３】通常のエレベーター装置の釣合いロープの吊り下げ構造を示す正面図。
【図４】本発明によるエレベーター装置の釣合いロープの吊り下げ構造の一実施の形態を示す図３相当図。
【図５】図４の変形例を示す正面図。
【図６】図５の右側面拡大図。
【図７】図５における下段の釣合いロープの吊り下げ構造を示す正面図。
【符号の説明】
【００３２】
１…昇降路、２…ガイドレール、３…乗かご、４…釣合い錘、５…主ロープ、６…巻上機、７…かご枠、８…かご室、９…縦枠、１０…上枠、１１…下枠、１１ａ，１１ｂ…型鋼、１２ａ，１２ｂ…案内手段、１３…フィーダ線、１４，１４Ａ，１４Ｂ…釣合いロープ、１５ＨＦ…最上階、１５ＬＦ…最下階、１６…ロープ吊り下げブラケット、１７，２１…ロープ保持具、１７Ｈ…貫通孔、１８…ロープ吊り下げ上段ブラケット、１８Ａ，１８Ｂ…下ブラケット、１９，１９Ａ，１９Ｂ…ブラケット台、２０…ロープ吊り下げ上段ブラケット、２０Ａ，２０Ｂ…上ブラケット、Ｂ１，Ｂ２，Ｂ３，Ｂ４…締結ボルト。
【図１】
2008290828.tif 000003
【図２】
2008290828.tif 000004
【図３】
2008290828.tif 000005
【図４】
2008290828.tif 000006
【図５】
2008290828.tif 000007
【図６】
2008290828.tif 000008
【図７】
2008290828.tif 000009